(57)【要約】 【課題】  通話中にユーザが通話料金を知ることが可能な電話機を提供する。【解決手段】  電話機は、電話会社などのとの契約により、ユーザが通話するときの料金プランに対応する料金テーブルを記憶している。ユーザの通話中には、料金テーブルを参照することにより通話料金が繰り返し算出され、算出された通話料金が継続的に表示部に表示される。【選択図】      図６
2005328450.tif 000002
【特許請求の範囲】
【請求項１】
料金プランに対応する料金テーブルを記憶する記憶部と、
通話中に、前記料金テーブルを参照して通話料金を算出する算出手段と、
算出された前記通話料金を表示部に表示させる表示制御部と、を備えることを特徴とする電話機。
【請求項２】
通話時間を計測する手段をさらに備え、
前記料金プランは、課金単位時間と単位料金により構成されており、
前記算出手段は、計測された通話時間と、前記課金単位時間と、前記単位料金とに基づいて前記通話料金を算出することを特徴とする請求項１に記載の電話機。
【請求項３】
通話時間を計測する手段をさらに備え、
前記表示制御手段は、ユーザの選択に応じて、前記通話料金と前記計測された通話時間のいずれかを前記表示部に表示させることを特徴とする請求項１に記載の電話機。
【請求項４】
前記料金テーブルは、複数の料金プランを含み、
前記算出手段は、ユーザが選択した料金プランに基づいて前記通話時間を算出することを特徴とする請求項１乃至３のいずれか一項に記載の電話機。
【請求項５】
前記電話機は、親機及び子機を有するコードレス電話機であり、
前記親機は、前記記憶部、前記算出手段、前記表示部及び前記表示制御部を備えることを特徴とする請求項１乃至４のいずれか一項に記載の電話機。
【請求項６】
前記子機は、前記親機から前記料金テーブルを受信する手段と、前記算出手段と、前記表示部と、前記表示制御部とを備えることを特徴とする請求項５に記載の電話機。
【請求項７】
前記算出手段は、通話中に前記通話料金を繰り返し算出し、
前記表示制御部は、算出された前記通話料金を継続的に表示させることを特徴とする請求項１に記載の電話機。
【発明の詳細な説明】
【技術分野】
【０００１】
本発明は、電話機の通話料金表示に関する。
【背景技術】
【０００２】
現在、通話中に通話時間を表示することができる電話機が知られている。しかし、一般的に、ユーザにとって知りたいのは通話時間より通話料金の方である。通話料金を知る方法としては、例えば通話後に所定の電話番号にダイヤルすることにより通話料金を確認する方法がある。但し、これではユーザは通話中にその時点の通話料金を知ることはできない。
【０００３】
過去の製品では、ＡＣＲという機能により、通話中に通話料金を表示することができるものがあったが、ユーザにとっては、その通信事業主（キャリア）に対応した端末を購入し、さらに契約しないと料金表示のサービスを受けられないという制約があった。さらに、ＡＣＲでは、ＩＰ電話などにより複雑化している昨今の料金体系には適合できないという問題もあり、ＡＣＲ搭載の製品は姿を消している。
【０００４】
その結果、現在ではユーザが通話中に通話料金を知りたいという要求を満たす手法がなくなってしまっている。
【０００５】
なお、関連する技術として、複数の電話会社の料金体系を比較し、最も安価な回線を自動選択する装置が知られている（例えば特許文献１を参照）。
【０００６】
【特許文献１】特開２０００−２４４６２４号公報
【発明の開示】
【発明が解決しようとする課題】
【０００７】
本発明が解決しようとする課題には上記のようなものが例として挙げられる。本発明は、通話中にユーザが通話料金を知ることが可能な電話機を提供することを課題とする。
【課題を解決するための手段】
【０００８】
請求項１に記載の発明は、電話機であって、料金プランに対応する料金テーブルを記憶する記憶部と、通話中に、前記料金テーブルを参照して通話料金を算出する算出手段と、算出された前記通話料金を表示部に表示させる表示制御部と、を備えることを特徴とする。
【発明を実施するための最良の形態】
【０００９】
本発明の好適な実施形態では、電話機は、料金プランに対応する料金テーブルを記憶する記憶部と、通話中に、前記料金テーブルを参照して通話料金を算出する算出手段と、算出された前記通話料金を表示部に表示させる表示制御部と、を備える。
【００１０】
上記の電話機は、電話会社などとの契約により、ユーザが通話するときの料金プランに対応する料金テーブルを記憶している。ユーザの通話中には、料金テーブルを参照することにより通話料金が算出され、算出された通話料金が表示部に表示される。よって、ユーザは、通話中に、現在行っている通話の料金を確認することができる。
【００１１】
上記の電話機の一態様は、通話時間を計測する手段をさらに備え、前記料金プランは、課金単位時間と単位料金により構成されており、前記算出手段は、計測された通話時間と、前記課金単位時間と、前記単位料金とに基づいて前記通話料金を算出する。
【００１２】
上記の電話機では、料金プランは例えば１分当たり１０円など、課金単位時間と単位料金により構成されている。そして、通話時間が計測され、得られた通話時間と、課金単位時間と、単位料金に基づいて通話料金が算出される。
【００１３】
上記の電話機の好適な例は、通話時間を計測する手段をさらに備え、前記表示制御手段は、ユーザの選択に応じて、前記通話料金と前記計測された通話時間のいずれかを前記表示部に表示させる。これにより、ユーザは通話中に、通話料金の表示と通話時間の表示のいずれかを任意に選択することができる。
【００１４】
上記の電話機の一態様では、前記料金テーブルは、複数の料金プランを含み、前記算出手段は、ユーザが選択した料金プランに基づいて前記通話時間を算出する。複数の料金プランが記憶されている場合には、ユーザは現在使用している料金プランを選択することにより、正しい通話料金が算出され、表示される。
【００１５】
上記の電話機の他の一態様では、前記電話機は、親機及び子機を有するコードレス電話機とすることができ、前記親機は、前記記憶部、前記算出手段、前記表示部及び前記表示制御部を備える。これにより、通話中に親機に通話料金を表示することができる。
【００１６】
上記の電話機の好適な例では、前記子機は、前記親機から前記料金テーブルを受信する手段と、前記算出手段と、前記表示部と、前記表示制御部とを備える。この例では、ユーザが子機を使用して通話する場合、子機はまず親機から料金テーブルを受信する。そして、ユーザの通話中は、その料金テーブルを使用して通話料金を算出し、表示する。
【００１７】
この態様では、ユーザは、親機のみならず子機を使用して通話している間も、その子機の表示部に通話料金を表示させることができる。また、料金プランは親機のみに記憶させればよいので、子機側に料金プランを重複して記憶させる必要はなく、子機側の機能の単純化、低コスト化も可能となる。
【００１８】
上記の電話機の一態様では、前記算出手段は、通話中に前記通話料金を繰り返し算出し、前記表示制御部は、算出された前記通話料金を継続的に表示させる。これにより、ユーザは通話中に、その時点における通話料金を常に確認することができる。
【実施例】
【００１９】
以下、本発明の好適な実施例を図面に基づいて説明する。なお、以下の実施例は、本発明をコードレス電話機に適用した例を示すが、これは本発明の適用をコードレス電話機に限定することを意図するものではない。
【００２０】
［基本構成］
図１に、本発明の実施例に係るコードレス電話機の全体構成を示す。図示のように、コードレス電話機１００は、１つの親機１１０ａと、１つ又は複数の子機１１０ｂとを備える。親機１１０ａは外部の電話回線網１０３と接続されている。また、親機１１０ａは、子機１１０ｂと無線通信を行うことにより、必要な料金データや各種の設定データなどを授受する。さらに、親機１１０ａと子機１１０ｂとの通信により、ユーザは子機１１０ｂを利用して外部と通話することができる。
【００２１】
まず、親機１１０ａの構成について説明する。図２は、コードレス電話機１００の親機１１０ａの概略構成を示すブロック図である。
【００２２】
図２において、親機１１０ａは、検波回路１と、回線制御回路２と、通話回路３と、ＤＳＰ（Digital Signal Processor）４と、無線送受信回路５と、アンテナ６と、ＣＰＵ７と、キースイッチ８と、ＣＰＵ７に接続されたドライバ９と、ドライバ９によって駆動される液晶パネルや有機ＥＬなどのディスプレイパネル１０とを備えている。
【００２３】
検波回路１は、外線接続端子Ｌ１、Ｌ２に入力される外線着信信号および受信信号を検波する。回線制御回路２は電話機と外線との回線接続を制御し、通話回路３は回線制御回路２を介して入力されてくる受信信号の後述する他の回路への送出や外線への送話信号の送出を行う。ＤＳＰ４は、通話回路３を介して入力されてくる受信信号や外線に送出する送話信号の音声処理を行うとともに、ＣＰＵ７に対してモデムとして機能する。無線送受信回路５は、子機との間でＭＣＡ（マルチ・チャンネル・アクセス）方式による無線通話回路を形成する。アンテナ６は、子機との間で無線の送受信を行うために使用される。
【００２４】
ＣＰＵ７は、回線制御回路２、通話回路３、ＤＳＰ４、及び無線送受信回路５に接続され、各回路の作動制御を行う。ＣＰＵ７にはＲＴＣ（リアル・タイム・クロック）１１６が接続されている。ＲＴＣ１１６は水晶振動子によって秒をカウントし、カウントする毎に信号をＣＰＵ７に出力する。また、ＣＰＵ７には記憶部としてのメモリ１１５ａが接続されており、このメモリ１１５ａは後述するように料金テーブル、ＲＴＣ１１６によってカウントされた通話時間などを記憶する。
【００２５】
また、親機１１０ａは、外線接続端子Ｌ１、Ｌ２から入力されてくる外線着信信号を検出するリング回路１１、リング回路１１による外線着信信号の検出によって呼出音を鳴らすモニタスピーカ１２、オンフックモード時にハンズフリーによる通話を行うためのマイク１３、及び、子機を置いたままで通話するためのオンフックモードへの切り換えを行うオンフックスイッチ１４をさらに備える。
【００２６】
次に、子機１１０ｂの構成について説明する。図３は、コードレス電話機１００の子機１１０ｂの概略構成を示すブロック図である。
【００２７】
図３において、子機１１０ｂは、アンテナ２１と、無線送受信回路２２と、ＤＳＰ２３と、ＣＰＵ２４と、ＣＰＵ２４に接続されて電話番号等のデータ入力や電話機操作を行うキースイッチ２５と、ＣＰＵ２４に接続されたドライバ２６と、ドライバ２６によって駆動される液晶パネルや有機ＥＬなどのディスプレイパネル２７とを備えている。また、子機１１０ｂはさらに、マイク２８、レシーバ２９を備える。
【００２８】
アンテナ２１は、親機１１０ａとの間で無線の送受信を行うために使用される。無線送受信回路２２は、アンテナ２１を介して親機１１０ａとの間でＭＣＡ方式による無線通話回路を形成する。ＤＳＰ２３は、無線送受信回路２２を介して入力されてくる受信信号や外線に送出する送話信号の音声処理を行うとともに、ＣＰＵ２４に対してモデムとして機能する。ＣＰＵ２４は、ＤＳＰ２３および無線送受信回路２２に接続され、各回路の作動制御を行う。
【００２９】
また、ＣＰＵ２４にはＲＴＣ１２６が接続されている。ＲＴＣ１２６は水晶振動子によって秒をカウントし、カウントする毎に信号をＣＰＵ７に出力する。さらに、ＣＰＵ２４には、記憶部としてのメモリ１１５ｂが接続されており、メモリ１１５ｂは料金テーブル、ＲＴＣ１２６によってカウントされた通話時間などを記憶する。
【００３０】
次に、親機１１０ａ及び子機１１０ｂの機能ブロックについて説明する。図４は、親機１１０ａおよび子機１１０ｂの通話料金表示機能に関連する部分の概略構成を示す機能ブロック図である。
【００３１】
図示のように、コードレス電話機は、親機１１０ａと子機１１０ｂがそれぞれのアンテナ部６、２１を介して通信可能とされている。
【００３２】
親機１１０ａは、主制御部１１１ａと、表示部１１２ａと、操作部１１３ａと、無線部１１４ａと、記憶部１１５ａと、通話時間計測部１１６ａと、回路インターフェース１１７ａとを備えて構成される。主制御部１１１ａは、親機１１０ａを利用した通話処理に加えて、親機１１０ａから子機１１０ｂへ、または逆に子機１１０ｂから親機１１０ａへのデータの送受信処理全体にわたる必要な制御を行う。記憶部１１５ａは、ユーザが登録した料金プランを料金テーブルとして記録する。通話時間計測部１１６ａは、通話時間の計測を行う。
【００３３】
一方、子機１１０ｂは、主制御部１１１ｂと、表示部１１２ｂと、操作部１１３ｂと、無線部１１４ｂと、記憶部１１５ｂと、通話時間計測部１１６ｂとを備え、各部の働きは親機１１０ａのものと基本的に同様である。
【００３４】
なお、以下の説明において、親機又は子機の構成要素であって、いずれかを区別する必要が無い場合には、添え字を省略して表記する。例えば、「主制御部１１１ａ」と言った場合は親機の主制御部を指し、単に「主制御部１１１」と言った場合は親機又は子機のいずれかの主制御部を指すものとする。
【００３５】
図５（ａ）は、図４に示す親機１１０ａ内の記憶部１１５ａの内部構造を示すブロック図である。記憶部１１５ａは、料金テーブルメモリ１３１と、通話時間メモリ１３２とを備える。
【００３６】
料金テーブルメモリ１３１に記憶された料金テーブル１３５の例を図５（ｂ）に示す。図示のように一つの料金テーブル１３５は複数の登録データ１３６を含む。各登録データ１３６はある電話会社の１つの料金プランに対応し、本例では「料金プラン番号」、「課金単位時間」、「単位料金」などを含んでいる。ここで「料金プラン番号」は、ユーザが複数の料金プランを区別するための識別番号であり、各電話会社の料金プラン毎に割り当てられている。「課金単位時間」は課金の基準となる単位時間を示し、「単位料金」は課金単位時間あたりの料金を示す。
【００３７】
これら料金プランの登録は、一般的には、ユーザが所定のボタン操作などを行い、親機１１０ａを料金プラン登録モードとし、料金プラン番号、課金単位時間、単位料金などの必要な情報を入力することにより行われる。こうして入力された１つの料金プラン分の情報は１つの登録データ１３６として記憶される。なお、料金プラン番号は、ユーザが課金単位時間、単位料金を入力した後、親機１１０ａによって自動的に割り振られることとしてもよい。また、ユーザが料金プランの詳細を全て入力するのではなく、主要な電話会社の料金プランをコードレス電話機１００の出荷時に予め記憶部１１５ａに記憶しておき、ユーザがそれらに対して料金プラン番号を割り当てたり、必要に応じて登録データの修正を行うようにしてもよい。
【００３８】
次に、本実施例における通話料金の表示方法について説明する。図６に、通話料金の表示方法、具体的には通話時間表示と通話料金表示の切り換えに関する操作手順および表示画面の一例を示す。なお、以下の説明では、親機１１０ａを用いた通話中に、親機１１０ａの表示部１１２ａとして機能するディスプレイ１０上に通話料金表示を行う場合について説明する。
ユーザが通話を開始すると、親機１１０ａの表示部１１２ａには通話時間表示画面８１が表示される。通話時間表示画面８１では、画面下部に電話番号が表示され、画面右上に現在の通話時間が表示される。ここで、ユーザが親機１１０ａの操作部１１３ａに設けられた料金／時間ボタン８２を押すと、表示部１１２ａは通話料金表示画面８３に切り換えられる。
【００３９】
具体的には、料金／時間ボタン８２が押されると、親機１１０ａの主制御部１１１ａは、記憶部１１５ａに記憶されている料金テーブル１３５から、料金プラン１の登録データ１３６を呼び出すとともに、表示部１１２ａに料金表示モードとして料金選択画面８３を表示する。図示のように、料金選択画面８３には、料金プラン番号（「料金プラン１」）、課金単位時間（「３分」）、単位料金（「７．５円」）が表示される。
【００４０】
さらに、ユーザが選択ボタン８６を操作すると、主制御部１１１ａは料金テーブル１３５から他の料金プランに対応する登録データ１３６を順次呼び出して、料金選択画面８４、料金選択画面８５として順次表示する。なお、料金プランを選択する際にユーザが操作する選択ボタン８６としては、操作部１１３ａに設けられた各種ボタンのうち、音量調整等の他の機能と併用したボタンやダイヤルを使用してもよい。
【００４１】
ユーザ自身は、現在の通話で使用している電話会社の料金プランを知っている。よって、ユーザは、選択ボタン８６の操作により、現在使用中の料金プランに電話料金体系に適合している料金選択画面が表示された場合に（図６の例では料金選択画面８３が該当する）、決定ボタン８７を押す。決定ボタン８７が押されると、主制御部１１１ａは、通話時間計測部１１６ａから現在の通話時間を取得し、取得した通話時間と、決定ボタン８７の押下により選択された料金プランとに基づいて、その時点における通話料金を算出する。具体的には、主制御部１１１ａは、以下の演算式（１）および（２）に基づいて通話料金を算出する。
【００４２】
演算変数＝通話時間／課金単位時間＋１          （１）
通話料金＝演算変数×単位料金                  （２）
ここで、課金単位時間、単位料金はそれぞれ、図５（ｂ）に示す登録データ１３６に含まれる課金単位時間、単位料金を示す。なお、決定ボタン８７の代わりに、料金／時間ボタン８２をユーザが更に押すことにより、料金プランを決定することができることしてもよい。
【００４３】
料金を算出すると、主制御部１１１ａは、表示部１１２ａを通話料金表示画面８８に切り換える。通話料金表示画面８８の右上には、通話時間の代わりに、ユーザが選択した料金プランによる現在の通話料金が表示される。なお、通話時間計測部１１６ａは通話時間の計測を継続しているので、主制御部１１１ａは、通話料金計測部１１６ａから取得した通話時間が、そのとき選択されている料金プランにおける課金単位時間だけ増加する毎に、通話料金を算出し、通話料金表示画面８８上に表示されている通話料金を更新する。
【００４４】
また、通話料金表示画面８８が表示されている状態で、ユーザがさらに料金／時間ボタン８２を押すと、主制御部１１１ａは計算を停止し、表示部１１２ａの表示を通話時間表示画面８１に戻す。
【００４５】
このように、本実施例では、ユーザは自分が通話している料金プランを選択することにより、その料金プランによる現在までの通話料金を表示部１１２ａに表示させることができる。よって、現在までの通話料金を把握しながら通話を行うことができる。また、何らかの理由で通話時間を確認したいときには、料金／時間ボタン８２を押すことにより、通話料金表示画面８８を通話時間表示画面８１に切り換えることもできる。
【００４６】
次に、上記の通話料金の表示処理について説明する。図７は、親機１１０ａにおいて実行される通話料金の表示処理のフローチャートである。
【００４７】
通話開始時においては、親機１１０ａの主制御部１１１ａは、通話時間計測部１１６ａにおいて計測された通話時間を記憶部１１５ａの通話時間メモリ１３２に記憶するとともに、通話時間表示画面８１として表示部１１２ａに表示する（ステップＳ１）。次に、主制御部１１１ａは、ユーザが通話料金表示指示を行ったか、即ち、料金／時間ボタン８２を押したか否かを判定する（ステップＳ２）。ユーザが通話料金表示指示を行った場合、主制御部１１１ａはユーザによる操作に応じて、料金選択画面８３〜８５を順次表示する。具体的には、主制御部１１１ａは、料金テーブルメモリ１３１に記憶された料金テーブル１３５から１つの料金プランに対応する登録データ１３６を取得し、表示部１１２ａに表示する。ユーザは他の登録データ１３６を見たいときには、登録データ１３６を切り換えるために選択ボタン８６を押す。主制御部１１１ａはこれを検知すると、料金テーブル１３５から他の料金プランに対応する登録データ１３６を取得し、表示部１１２ａに表示する。ユーザは上記の登録データ１３６を切り換えるために選択ボタン８６の操作を順次繰り返すことにより所望の登録データ１３６、つまり自分が通話に利用している料金体系、を見つけることができる。なお、主制御部１１１ａは、上記の動作中においても、通話時間計測部１１６ａにおいて計測された通話時間を通話時間メモリ１３２に記憶し続ける。主制御部１１１ａが登録データ１３６を呼び出す順番は、料金テーブル上の料金プラン番号の順番でも良いが、最近選択された登録データ１３６が最初に表示されるようにしてもよい。
【００４８】
こうして、ユーザが特定の料金プランを選択して決定ボタン８７を押すと、主制御部１１１ａはその料金プランに対応する登録データ１３６を取得する（ステップＳ３）。続いて、主制御部１１１ａは、通話時間メモリ１３２に記憶されている通話時間を取得する（ステップＳ４）。そして、主制御部１１１ａは、取得した料金プランの登録データ１３６と、通話時間とに基づいて通話料金を算出する（ステップＳ５、Ｓ６）。そして、主制御部１１１ａは、このようにして演算された通話料金を含む通話料金表示画面８８を作成し、表示部１１２ａに表示する（ステップＳ７）。
【００４９】
その後、主制御部１１１ａはユーザが通話時間表示への変更を指示したか否か、即ち、ユーザが料金／時間ボタン８２を押したか否かを検出し（ステップＳ８）、変更が指示された場合には、ステップＳ１へ戻り、通話時間表示画面８１を表示部１１２ａに表示する。こうして、ユーザは、通話料金表示を通話時間表示に変更することができる。
【００５０】
以上の処理において、通話時間表示中であっても、通話料金表示中であっても、通話時間計測部１１６ａは常に通話時間を計測しており、その結果を記憶部１１５ａ内の通話時間メモリ１３２に記憶している。よって、通話時間表示中は通話時間表示画面８１中の通話時間は時々刻々と変化し、通話料金表示中は通話料金表示画面８８中の通話料金は時々刻々と変化する。
【００５１】
次に、子機における通話料金表示処理について説明する。上記の表示処理は、ユーザが親機１１０ａを使用して通話している間に、親機１１０ａの表示部１１２ａ上に通話料金を表示するものであった。但し、最近では、一般的にユーザは親機よりも子機を使用して通話することが多い。従って、各子機においても同様に通話料金表示ができることが好ましい。
【００５２】
子機における通話時間の表示処理においては、図４に示すように、子機１１０ｂ内の通話時間計測部１１６ｂが計測した通話時間を利用して、子機１１０ｂの主制御部１１１ｂが通話料金を計算し、表示部１１２ｂに表示すればよい。この際、料金テーブルについては、子機１１０ｂの記憶部１１５ｂに親機１１０ａの記憶部１１５ａと同一の料金テーブル１３５を記憶しておくこともできる。但し、こうすると、各子機１１０ｂに備えるべきメモリ容量が大きくなり、子機のコストが増加してしまうことになる。よって、以下の表示処理例では、子機１１０ｂの主制御部１１１ｂは、ユーザが子機１１０ｂを使用して通話を開始するときに、親機１１０ａから料金テーブル１３５を受信して記憶部１１５ｂに一時的に記憶する。そして、子機１１０ｂは、その料金テーブル１３５を用いて、通話中に通話料金を算出し、表示部１１２ｂに表示する。こうすることにより、各子機１１０ｂは親機１１０ａと同一のメモリを備える必要がなくなる。また、料金テーブル１３５の内容に変更があった場合などにも、全ての子機１１０ｂの記憶内容を変更する必要がなくなり、便利である。
【００５３】
図８に、子機における通話料金の表示処理のフローチャートを示す。
【００５４】
図８において、ユーザが子機１１０ｂを用いて通話を開始すると同時に、親機１１０ａの主制御部１１１ａは料金テーブル１３５を、それぞれのアンテナ部６、２１を介して、子機１１０ｂに送信し、子機１１０ｂはそれを受信する（ステップＳ１１）。子機１１０ｂの主制御部１１１ｂは、受信した料金テーブル１３５を記憶部１１５ｂに記憶する（ステップＳ１２）。こうすることにより子機１１０ｂの記憶部１１５ｂは、親機１１０ａの記憶部１１５ａと同様の料金テーブル１３５を持つこととなる。このような方式を採用した理由は、ユーザの通話中に親機１１０ａから子機１１０ｂへ音声以外の情報の送信を行うとノイズを引き起こす可能性があり好ましくないからである。
【００５５】
この後のステップＳ１３からステップＳ２１までは図７に示す親機１１０ａにおける通話料金表示処理のステップＳ１からＳ９までと同様であるので、説明は省略する。こうして、子機１１０ｂにおいても、ユーザの通話中に通話料金の表示が可能となる。
【００５６】
ステップＳ２１において、ユーザが通話を終了したことを検出すると、主制御部１１１ｂは、記憶部１１５ｂ内に一時的に記憶されていた料金テーブルを消去し（ステップＳ２２）、表示処理を終了する。こうして、子機１１０ｂでは通話終了と同時に記憶部１１５ｂの料金テーブル１３５は消去される。これは、料金テーブルが更新されることなどを考慮し、子機１１０ｂにおける通話料金表示処理において、常に親機１１０ａに記憶されている最新の料金テーブルを使うようにするためである。なお、ステップＳ２２を省略し、次回の表示処理時において、親機１１０ａから取得した料金テーブルを上書きすることとしてもよい。
【図面の簡単な説明】
【００５７】
【図１】本発明の実施例に係るコードレス電話機の全体構成を模式的に示す。
【図２】親機の概略構成を示すブロック図である。
【図３】子機の概略構成を示すブロック図である。
【図４】実施例のコードレス電話機の通話料金表示処理に関連する機能ブロックを示す図である。
【図５】親機の記憶部の記憶内容例、及び、料金テーブルの例を示す。
【図６】実施例による通話料金表示方法を模式的に示す図である。
【図７】親機における通話料金表示処理のフローチャートである。
【図８】子機における通話料金表示処理のフローチャートである。
【符号の説明】
【００５８】
６、２１  アンテナ  
１００  コードレス電話機
１０３  電話回線網
１１０ａ  親機
１１０ｂ  子機
１１１ａ、１１１ｂ  主制御部
１１２ａ、１１２ｂ  表示部
１１３ａ、１１３ｂ  操作部
１１４ａ、１１４ｂ  無線部
１１５ａ、１１５ｂ  記憶部
１１６ａ、１１６ｂ  通話時間計測部
１１７ａ  回線インターフェース
１３５  料金テーブル
１３６  登録データ
【図１】
2005328450.tif 000003
【図２】
2005328450.tif 000004
【図３】
2005328450.tif 000005
【図４】
2005328450.tif 000006
【図５】
2005328450.tif 000007
【図６】
2005328450.tif 000008
【図７】
2005328450.tif 000009
【図８】
2005328450.tif 000010